(57)【要約】【課題】低消費電力化を図れるととともに、ユーザにとって利便性の高い移動体端末を提供する。【解決手段】移動体端末１０は、移動体端末１０の現在位置を、予め定められた周期で測位する測位部と、現在位置を表した位置情報を、基地局２１，２２，３１を介してサーバ装置に送信する送信部と、基地局を介してサーバ装置から、位置情報に関連した情報を受信する受信部と、ＣＳＧセル３１０の各々の識別情報を含んだリストを記憶するための記憶部と、リストを用いて、ＣＳＧセル３１０に移動体端末１０が入ったことを検出する検出部と、ＣＳＧセルに移動体端末１０が入ったことが検出されると、測位の周期を、周期Ｔ１から周期Ｔ１よりも長い周期Ｔ２に変更する周期変更部とを備える。【選択図】図３
2012181087.tif 000002
【特許請求の範囲】
【請求項１】
基地局と通信を行なう移動体端末であって、
前記移動体端末の現在位置を、予め定められた第１の周期で測位する測位手段と、
前記現在位置を表した位置情報を、前記基地局を介してサーバ装置に送信する送信手段と、
前記基地局を介して前記サーバ装置から、前記位置情報に関連した情報を受信する受信手段と、
予め定められたエリアの各々の識別情報を含んだリストを記憶するための記憶手段と、
前記リストを用いて、前記予め定められたエリアに前記移動体端末が入ったことを検出する検出手段と、
前記予め定められたエリアに前記移動体端末が入ったことが検出されると、前記測位の周期を、前記第１の周期から前記第１の周期よりも長い第２の周期に変更する周期変更手段とを備える、移動体端末。
【請求項２】
前記検出手段は、前記予め定められたエリアから前記移動体端末が出たことを、さらに検出し、
前記周期変更手段は、前記予め定められたエリアから前記移動体端末が出たことが検出された場合、前記測位の周期が前記第２の周期に変更されているときには、前記測位の周期を前記第２の周期から前記第１の周期に変更する、請求項１に記載の移動体端末。
【請求項３】
前記記憶手段は、前記識別情報の各々に対応付けて、前記測位の周期を前記第１の周期から前記第２の周期に変更させるか否かを表したフラグを、さらに記憶しており、
前記周期変更手段は、
前記フラグが、前記測位の周期を前記第１の周期から前記第２の周期に変更することを表している場合、前記予め定められたエリアに前記移動体端末が入ったことが検出されると、前記測位の周期を前記第１の周期から前記第２の周期に変更し、
前記フラグが、前記測位の周期を前記第１の周期から前記第２の周期に変更することを表していない場合、前記予め定められたエリアに前記移動体端末が入ったことが検出されても、前記測位の周期を前記第１の周期から前記第２の周期に変更しない、請求項１または２に記載の移動体端末。
【請求項４】
基地局と通信を行なう移動体端末であって、
前記移動体端末の現在位置を、予め定められた周期で測位する測位手段と、
前記現在位置を表した位置情報を、前記基地局を介してサーバ装置に送信する送信手段と、
前記基地局を介して前記サーバ装置から、前記位置情報に関連した情報を受信する受信手段と、
予め定められたエリアの各々の識別情報を含んだリストを記憶するための記憶手段と、
前記リストを用いて、前記予め定められたエリアに前記移動体端末が入ったことを検出する検出手段と、
前記予め定められたエリアに前記移動体端末が入ったことが検出されると、前記測位を停止させる停止手段とを備える、移動体端末。
【請求項５】
前記検出手段は、さらに、前記予め定められたエリアから前記移動体端末が出たことを検出し、
前記停止手段は、前記予め定められたエリアから前記移動体端末が出たことが検出された場合、前記測位を停止しているときには、前記測位を再開させる、請求項４に記載の移動体端末。
【請求項６】
前記記憶手段は、前記識別情報の各々に対応付けて、前記測位を停止させるか否かを表したフラグを、さらに記憶しており、
前記停止手段は、
前記フラグが、前記測位を停止させることを表している場合、前記予め定められたエリアに前記移動体端末が入ったことが検出されると、前記測位を停止させ、
前記フラグが、前記測位を停止させることを表していない場合、前記予め定められたエリアに前記移動体端末が入ったことが検出されても、前記測位を停止させない、請求項４または５に記載の移動体端末。
【請求項７】
前記予め定められたエリアは、複数の前記基地局により構成される複数セルのうち、予め定められたセルのエリアである、請求項１から６のいずれか１項に記載の移動体端末。
【請求項８】
前記予め定められたセルは、前記移動体端末によるアクセスが許可されているクローズド・サブスクライバ・グループ・セルである、請求項７に記載の移動体端末。
【請求項９】
前記検出手段は、フィンガープリント情報と前記リストとを用いて、前記アクセスが許可されているクローズド・サブスクライバ・グループ・セルの近傍に前記移動体端末が入ったことを検出する、請求項８に記載の移動体端末。
【請求項１０】
基地局と通信を行なう移動体端末における制御方法であって、
前記移動体端末は、予め定められたエリアの各々の識別情報を含んだリストを記憶しており、
前記制御方法は、
前記移動体端末が、前記移動体端末の現在位置を、予め定められた第１の周期で測位するステップと、
前記移動体端末が、前記現在位置を表した位置情報を、前記基地局を介してサーバ装置に送信するステップと、
前記移動体端末が、前記基地局を介して前記サーバ装置から、前記位置情報に関連した情報を受信するステップと、
前記移動体端末が、前記リストを用いて、前記予め定められたエリアに前記移動体端末が入ったことを検出するステップと、
前記移動体端末が、前記予め定められたエリアに前記移動体端末が入ったことが検出されると、前記測位の周期を、前記第１の周期から前記第１の周期よりも長い第２の周期に変更するステップとを備える、制御方法。
【請求項１１】
基地局と通信を行なう移動体端末における制御方法であって、
前記移動体端末は、予め定められたエリアの各々の識別情報を含んだリストを記憶しており、
前記制御方法は、
前記移動体端末が、前記移動体端末の現在位置を、予め定められた周期で測位するステップと、
前記移動体端末が、前記現在位置を表した位置情報を、前記基地局を介してサーバ装置に送信するステップと、
前記移動体端末が、前記基地局を介して前記サーバ装置から、前記位置情報に関連した情報を受信するステップと、
前記移動体端末が、前記リストを用いて、前記予め定められたエリアに前記移動体端末が入ったことを検出するステップと、
前記移動体端末が、前記予め定められたエリアに前記移動体端末が入ったことが検出されると、前記測位を停止させるステップとを備える、制御方法。
【請求項１２】
基地局と通信を行なう移動体端末を制御するためのプログラムであって、
前記移動体端末は、予め定められたエリアの各々の識別情報を含んだリストを記憶しており、
前記プログラムは、
前記移動体端末の現在位置を、予め定められた第１の周期で測位するステップと、
前記現在位置を表した位置情報を、前記基地局を介してサーバ装置に送信するステップと、
前記基地局を介して前記サーバ装置から、前記位置情報に関連した情報を受信するステップと、
前記リストを用いて、前記予め定められたエリアに前記移動体端末が入ったことを検出するステップと、
前記予め定められたエリアに前記移動体端末が入ったことが検出されると、前記測位の周期を、前記第１の周期から前記第１の周期よりも長い第２の周期に変更するステップとを、前記移動体端末に実行させる、プログラム。
【請求項１３】
基地局と通信を行なう移動体端末を制御するためのプログラムであって、
前記移動体端末は、予め定められたエリアの各々の識別情報を含んだリストを記憶しており、
前記プログラムは、
前記移動体端末の現在位置を、予め定められた周期で測位するステップと、
前記現在位置を表した位置情報を、前記基地局を介してサーバ装置に送信するステップと、
前記基地局を介して前記サーバ装置から、前記位置情報に関連した情報を受信するステップと、
前記リストを用いて、前記予め定められたエリアに前記移動体端末が入ったことを検出するステップと、
前記予め定められたエリアに前記移動体端末が入ったことが検出されると、前記測位を停止させるステップとを、前記移動体端末に実行させる、プログラム。
【発明の詳細な説明】
【技術分野】
【０００１】
本発明は、移動体端末、制御方法、およびプログラムに関する。本発明は、特に、現在位置を測位する機能を備えた移動体端末、当該移動体端末における制御方法、および当該移動体端末を制御するプログラムに関する。
【背景技術】
【０００２】
従来、ＧＰＳ（Global Positioning System）等により現在位置を測位する機能を備えた移動体端末が知られている。
【０００３】
たとえば、非特許文献１では、上記移動体端末として、予め設定しておくだけで、移動体端末の現在位置をバックグラウンドで定期的に測位して、自動でサービス提供者に現在位置を提供し続ける構成が開示されている。この場合、移動体端末は、サービス提供者から、現在位置に関連した情報を得ることができる。
【０００４】
特許文献１には、測位機能を備えた位置検出装置が開示されている。位置検出装置は、待ち受け先の基地局に変化がない場合には位置検出装置が静止状態にあると判定し、ＧＰＳ測位の測位間隔を長くする。一方、位置検出装置は、ＧＰＳ受信できない場合にはＧＰＳ測位を休止する。一方、基地局に変化があった場合、位置検出装置は、移動状態と判定して通常モードでＧＰＳ測位を行なう。このように、位置検出装置は、位置検出装置の移動判定を行なうにあたって、ＧＰＳ測位結果自体を使用するのではなく、消費電力が小さい基地局との通信結果を使用する。たとえば、位置検出装置は、特定の基地局および／または周辺の基地局からの電波の受信レベルの変化が所定の範囲内か否かや、基地局との通信で得られる基地局の位置に変化が生じたか（待ち受け先が変わったか）否か等の判断から、静止状態であるか否かを判断する。
【０００５】
特許文献２には、ＧＰＳを用いて、監視エリアに対して移動体が行なう進入および退出を監視する移動体監視システムが開示されている。移動体監視システムは、ＧＰＳ衛星から受信したＧＰＳ信号に基づいてＧＰＳ測位を行なう。また、移動体監視システムは、監視エリアを表す監視エリア情報を記憶している。移動体監視システムは、ＧＰＳ測位にて得られた移動体の現在位置と前回の測位位置とに基づいて移動体が行なう監視エリアへの進入および退出を判定する。さらに、移動体監視システムは、現在位置と監視エリアの境界との間の距離を算出する。移動体監視システムは、距離を判断材料として次回ＧＰＳ測位までの時間を決定する。移動体監視システムは、ＧＰＳ測位の結果を順次記憶する。このように、移動体監視システムは、次回ＧＰＳ測位までの時間間隔を長くすることにより、測位回数を少なくする。これにより、移動体は、消費電力を低減できる。
【０００６】
また、現在、３ＧＰＰにおいて、Ｗ−ＣＤＭＡ（Wideband  Code  Division  Multiple  Access），ＬＴＥ（Long  Term  Evolution），ＬＴＥ−Ａ（Long  Term  Evolution  Advanced）に関し、サービスエリアの拡張および個人使用等を目的に、小型の無線基地局Ｈｏｍｅ  （ｅ）ＮｏｄｅＢに関する標準化が進められている。
【０００７】
Ｈｏｍｅ  （ｅ）ＮＢ（以下、「ＨｅＮＢ」とも称する）によって提供されるセルには、全ユーザが接続することが可能なオープンセル（Open cell）、特定のユーザのみアクセスが許可されたクローズド・サブスクライバ・グループ・セル（ＣＳＧセル：Closed  Subscriber  Group  cell)、オープンセルとＣＳＧセルとの両方の特徴を持つハイブリッドセル（Hybrid cell）とが存在する。
【０００８】
また、移動体端末より通知する近接情報（Proximity Indication）には、少なくとも、移動体端末が有するリストに記載されているＣＳＧセルに近づいたことを示す“ｅｎｔｅｒ”の情報と、またはＣＳＧセルから離れていくことを示す“ｌｅａｖｅ”の情報が含まれている。つまり、近接情報は、ハンドオーバ動作時に、移動体端末がマクロセルからハンドオーバしてアクセスできるＣＳＧセルに近づいたこと、または移動体端末が当該ＣＳＧセルから離れたことを、移動体端末が判定したときに移動体端末が通知する情報である。
【先行技術文献】
【特許文献】
【０００９】
【特許文献１】特開２００６−１５３６９５号公報
【特許文献２】特開２００５−２５０８５３号公報
【非特許文献】
【００１０】
【非特許文献１】ＮＴＴ  ｄｏｃｏｍｏ、“オートＧＰＳ”、［online］、［平成２３年１月２３日検索］、インターネット＜URL:http://www.nttdocomo.co.jp/service/information/auto_gps/＞
【非特許文献２】3GPP  TS  36.331  v9.1.0  (2009-12)  :  “Radio  Resource  Control  (RRC)  -  Protocol  Specification”
【発明の概要】
【発明が解決しようとする課題】
【００１１】
サービス提供者から提供を受ける位置情報に関連する情報の中には、移動体端末のユーザにとって不要な情報が含まれている場合もある。たとえば、ユーザが自宅にいる場合、自宅周辺の情報はユーザ本人がほぼ熟知しているため、ユーザは、それほど高い頻度で情報を得る必要はない。また、ユーザが勤務している会社周辺の情報、あるいはユーザが通学している学校周辺の情報も同様に、ユーザにとって不要である場合が多い。
【００１２】
それにもかかわらず、移動体端末が、定期的に当該移動体端末の現在位置を測位して、現在位置を表す位置情報をサービス提供者に送信し、位置情報に関連した情報をサービス提供者から得るのは、以下の点において好ましくない。つまり、移動体端末は、不要と考えられる測位により電力を消費し、当該測位による位置情報の送信に電力を消費し、当該位置情報に関連した情報の受信に電力を消費する。このため、移動体端末は、無駄に電力を消費することになる。移動体端末が電池により駆動する構成の場合、無駄な電力を消費することは大きなデメリットである。
【００１３】
さらに、移動体端末は、位置情報に関連した不要な情報をメモリに格納するため、メモリの使用可能容量が低減してしまう。また、移動体端末は、位置情報に関連する情報の提供といったサービスを受ける場合、当該情報以外にも、当該サービスに関連するメールを数多く受信することになると考えられる。このため、移動体端末は、さらにメモリを無駄に消費してしまう。加えて、ユーザは、メールの管理も困難となってくる。
【００１４】
また、特許文献１の位置検出装置では、位置検出装置は、当該位置検出装置が在圏する基地局において静止している場合は、測位間隔を長くすることによって、低消費電力化を図ることができる。しかしながら、位置検出装置は、移動している状態では測位間隔が長くならないため、低消費電力化を図れない。
【００１５】
また、特許文献２の移動体監視システムでは、移動体端末が監視エリアから遠い場合は測位間隔を長くすることによって、低消費電力化を図っている。しかしながら、移動体監視システムでは、監視エリアの位置情報を、移動体端末と通信を行なう監視サーバで管理している。このため、移動体監視システムのような構成では、監視エリア等の予め定められたエリアが移動する場合や、移動体端末のユーザが気軽にエリアを追加する場合等において、柔軟に対応することが困難である。
【００１６】
本願発明は、上記の問題点に鑑みなされたものであって、その目的は、低消費電力化を図れるととともに、ユーザにとって利便性の高い移動体端末、制御方法、およびプログラムを提供することにある。
【課題を解決するための手段】
【００１７】
本発明のある局面に従うと、移動体端末は、基地局と通信を行なう移動体端末である。移動体端末は、移動体端末の現在位置を、予め定められた第１の周期で測位する測位手段と、現在位置を表した位置情報を、基地局を介してサーバ装置に送信する送信手段と、基地局を介してサーバ装置から、位置情報に関連した情報を受信する受信手段と、予め定められたエリアの各々の識別情報を含んだリストを記憶するための記憶手段と、リストを用いて、予め定められたエリアに移動体端末が入ったことを検出する検出手段と、予め定められたエリアに移動体端末が入ったことが検出されると、測位の周期を、第１の周期から第１の周期よりも長い第２の周期に変更する周期変更手段とを備える。
【００１８】
好ましくは、検出手段は、予め定められたエリアから移動体端末が出たことを、さらに検出する。周期変更手段は、予め定められたエリアから移動体端末が出たことが検出された場合、測位の周期が第２の周期に変更されているときには、測位の周期を第２の周期から第１の周期に変更する。
【００１９】
好ましくは、記憶手段は、識別情報の各々に対応付けて、測位の周期を第１の周期から第２の周期に変更させるか否かを表したフラグを、さらに記憶している。周期変更手段は、フラグが、測位の周期を第１の周期から第２の周期に変更することを表している場合、予め定められたエリアに移動体端末が入ったことが検出されると、測位の周期を第１の周期から第２の周期に変更する。周期変更手段は、フラグが、測位の周期を第１の周期から第２の周期に変更することを表していない場合、予め定められたエリアに移動体端末が入ったことが検出されても、測位の周期を第１の周期から第２の周期に変更しない。
【００２０】
本発明の他の局面に従うと、移動体端末は、基地局と通信を行なう移動体端末である。移動体端末は、移動体端末の現在位置を、予め定められた周期で測位する測位手段と、現在位置を表した位置情報を、基地局を介してサーバ装置に送信する送信手段と、基地局を介してサーバ装置から、位置情報に関連した情報を受信する受信手段と、予め定められたエリアの各々の識別情報を含んだリストを記憶するための記憶手段と、リストを用いて、予め定められたエリアに移動体端末が入ったことを検出する検出手段と、予め定められたエリアに移動体端末が入ったことが検出されると、測位を停止させる停止手段とを備える。
【００２１】
好ましくは、検出手段は、さらに、予め定められたエリアから移動体端末が出たことを検出する。停止手段は、予め定められたエリアから移動体端末が出たことが検出された場合、測位を停止しているときには、測位を再開させる。
【００２２】
好ましくは、記憶手段は、識別情報の各々に対応付けて、測位を停止させるか否かを表したフラグを、さらに記憶している。停止手段は、フラグが、測位を停止させることを表している場合、予め定められたエリアに移動体端末が入ったことが検出されると、測位を停止させる。停止手段は、フラグが、測位を停止させることを表していない場合、予め定められたエリアに移動体端末が入ったことが検出されても、測位を停止させない。
【００２３】
好ましくは、予め定められたエリアは、複数の基地局により構成される複数セルのうち、予め定められたセルのエリアである。
【００２４】
好ましくは、予め定められたセルは、移動体端末によるアクセスが許可されているクローズド・サブスクライバ・グループ・セルである。
【００２５】
好ましくは、検出手段は、フィンガープリント情報とリストとを用いて、アクセスが許可されているクローズド・サブスクライバ・グループ・セルの近傍に移動体端末が入ったことを検出する。
【００２６】
本発明のさらに他の局面に従うと、制御方法は、基地局と通信を行なう移動体端末における制御方法である。移動体端末は、予め定められたエリアの各々の識別情報を含んだリストを記憶している。制御方法は、移動体端末が、移動体端末の現在位置を、予め定められた第１の周期で測位するステップと、移動体端末が、現在位置を表した位置情報を、基地局を介してサーバ装置に送信するステップと、移動体端末が、基地局を介してサーバ装置から、位置情報に関連した情報を受信するステップと、移動体端末が、リストを用いて、予め定められたエリアに移動体端末が入ったことを検出するステップと、移動体端末が、予め定められたエリアに移動体端末が入ったことが検出されると、測位の周期を、第１の周期から第１の周期よりも長い第２の周期に変更するステップとを備える。
【００２７】
本発明のさらに他の局面に従うと、制御方法は、基地局と通信を行なう移動体端末における制御方法である。移動体端末は、予め定められたエリアの各々の識別情報を含んだリストを記憶している。制御方法は、移動体端末が、移動体端末の現在位置を、予め定められた周期で測位するステップと、移動体端末が、現在位置を表した位置情報を、基地局を介してサーバ装置に送信するステップと、移動体端末が、基地局を介してサーバ装置から、位置情報に関連した情報を受信するステップと、移動体端末が、リストを用いて、予め定められたエリアに移動体端末が入ったことを検出するステップと、移動体端末が、予め定められたエリアに移動体端末が入ったことが検出されると、測位を停止させるステップとを備える。
【００２８】
本発明のさらに他の局面に従うと、プログラムは、基地局と通信を行なう移動体端末を制御するためのプログラムである。移動体端末は、予め定められたエリアの各々の識別情報を含んだリストを記憶している。プログラムは、移動体端末の現在位置を、予め定められた第１の周期で測位するステップと、現在位置を表した位置情報を、基地局を介してサーバ装置に送信するステップと、基地局を介してサーバ装置から、位置情報に関連した情報を受信するステップと、リストを用いて、予め定められたエリアに移動体端末が入ったことを検出するステップと、予め定められたエリアに移動体端末が入ったことが検出されると、測位の周期を、第１の周期から第１の周期よりも長い第２の周期に変更するステップとを、移動体端末に実行させる。
【００２９】
本発明のさらに他の局面に従うと、プログラムは、基地局と通信を行なう移動体端末を制御するためのプログラムである。移動体端末は、予め定められたエリアの各々の識別情報を含んだリストを記憶している。プログラムは、移動体端末の現在位置を、予め定められた周期で測位するステップと、現在位置を表した位置情報を、基地局を介してサーバ装置に送信するステップと、基地局を介してサーバ装置から、位置情報に関連した情報を受信するステップと、リストを用いて、予め定められたエリアに移動体端末が入ったことを検出するステップと、予め定められたエリアに移動体端末が入ったことが検出されると、測位を停止させるステップとを、移動体端末に実行させる。
【発明の効果】
【００３０】
本発明によれば、低消費電力化を図れるととともに、ユーザにとっての利便性を向上できる。
【図面の簡単な説明】
【００３１】
【図１】ネットワークシステムの概要を示した図である。
【図２】複数の基地局と各基地局により構成されるセルとを示した図である。
【図３】移動体端末が第１の経路で移動した際における、移動体端末による測位周期を説明するための図である。
【図４】移動体端末が第２の経路で移動した際における、移動体端末による測位周期を説明するための図である。
【図５】移動体端末が第３の経路で移動した際における、移動体端末による測位周期を説明するための図である。
【図６】移動体端末のハードウェア構成を表した図である。
【図７】移動体端末の機能的構成を表した機能ブロック図である。
【図８】ＣＳＧリストを表した図である。
【図９】近隣セルリストを表した図である。
【図１０】位置情報リストを表した図である。
【図１１】移動体端末により行なわれる処理の流れを示したフローチャートである。
【図１２】他の移動体端末の機能的構成を表した機能ブロック図である。
【図１３】他の移動体端末が第１の経路で移動した際における、移動体端末による測位周期を説明するための図である。
【図１４】他の移動体端末により行なわれる処理の流れを示したフローチャートである。
【発明を実施するための形態】
【００３２】
以下、図面を参照しつつ、本発明の実施の形態に係るネットワークシステムについて説明する。以下の説明では、同一の部品には同一の符号を付してある。それらの名称および機能も同じである。したがって、それらについての詳細な説明は繰り返さない。
【００３３】
＜ネットワークシステムの概要＞
図１は、ネットワークシステムの概要を示した図である。図１を参照して、ネットワークシステム１は、移動体端末１０と、マクロセルを構成する基地局２１と、小型の無線基地局（HOME  (e)NodeB）３１，３２，３３と、サーバ装置４１，４２，４３とを備える。なお、ネットワークシステム１は、さらに、基地局２１および小型の無線基地局３１〜３３以外の図示しない基地局を含んで構成される。また、ネットワークシステム１が備えるサーバ装置は、サーバ装置４１〜４３の３つに限定されるものではない。
【００３４】
移動体端末１０は、複数のＧＰＳ衛星９１，９２，９３，９４が送信した信号を受信する。なお、ＧＰＳ衛星の数は、４つに限定されるものではない。また、移動体端末１０は、図１の状態では、基地局２１と通信可能に接続されている。なお、移動体端末１０は、たとえば、スマートフォン等の携帯型電話機である。基地局２１，３１〜３３の各々は、ネットワークを介して、サーバ装置４１〜４３に通信可能に接続されている。
【００３５】
移動体端末１０は、予め定められた機能がオンに設定された場合、図１の状態では以下の処理を行なう。移動体端末１０は、ＧＰＳ衛星が発信する信号に基づいて、移動体端末１０の現在位置を予め定められた周期（たとえば、５分）で測位する。具体的には、移動体端末１０は、ＧＰＳ衛星が発信する信号を上記予め定められた周期で受信し、当該信号を受信したことに基づき、現在位置を算出する演算を行なう。次いで、移動体端末１０は、移動体端末１０の現在位置を表した位置情報（以下、「現在地情報」とも称する）を、基地局２１に無線にて送信する。
【００３６】
基地局２１は、サーバ装置４１〜４３の何れかにアクセスして、上記位置情報に関連した情報を取得する。なお、位置情報に関連した情報とは、現在位置に関連する各種の情報（たとえば、店舗情報、気象情報、駐車場情報、観光地情報、ご当地ならではの情報）である。以下では、位置情報に関連した情報を、「サービス情報」とも称する。基地局２１は、サーバ装置４１〜４３から取得したサービス情報を、移動体端末１０に送信する。この場合、移動体端末１０は、基地局２１から送られてきたサービス情報をディスプレイに表示する。
【００３７】
なお、以下では、上記予め定められた機能がオンに設定された場合における移動体端末１０の動作モードを、サービス情報を自動的に取得する動作モードであることから、「自動取得モード」とも称する。
【００３８】
次に、無線基地局３１〜３３について説明する。無線基地局３１，３３は、移動体端末１０のアクセスを許可するＣＳＧセルを構成する基地局である。一方、無線基地局３２は、移動体端末１０のアクセスを許可しないＣＳＧセルを構成する基地局である。なお、ネットワークシステム１は、ＣＳＧセル以外に、オープンセル、ハイブリッドセルをさらに含んで構成されてもよい。
【００３９】
たとえば、移動体端末１０が上記自動取得モードの状態で移動することにより、基地局２１から無線基地局３１へのハンドオーバがなされると、移動体端末１０は、上述した予め定められた周期（以下、「周期Ｔ１」と称する）の測位により得られた現在地情報を無線基地局３１に送信する。この場合も、移動体端末１０は、サーバ装置４１〜４３の何れかから、送信した位置情報に基づくサービス情報を、無線基地局３１を介して受信する。また、移動体端末１０が移動することにより、基地局２１から無線基地局３３へのハンドオーバがなされたときも、同様の処理が行なわれる。
【００４０】
一方、移動体端末１０は、無線基地局３２が構成するＣＳＧセルへのアクセスはできないため、当該ＣＳＧセルの近傍（Proximity  Area）に入っても、基地局２１から無線基地局３２へのハンドオーバは実行されない。このため、移動体端末１０は、現在地情報を送信しても、サーバ装置４１〜４３の何れかから当該現在地情報に基づくサービス情報を得られない。
【００４１】
以下、図２〜図５に基づいて、移動体端末１０の動作の概要を説明する。
＜移動体端末１０の動作の概要＞
図２は、複数の基地局と各基地局により構成されるセルとを示した図である。図２を参照して、基地局２１，２２，２３，２４，２５，２６，２７，２８の各々は、それぞれマクロセル２１０，２２０，２３０，２４０，２５０，２６０，２７０，２８０を構成する。無線基地局３１，３２，３３は、小型の無線基地局（HOME (e)NodeB）である。また、無線基地局３１，３２，３３は、それぞれ、ＣＳＧセル３１０，３２０，３３０を構成する。移動体端末１０は、図２の中心のセル２１０内に位置しており、基地局２１と通信を行なっている。
【００４２】
ＣＳＧセル３１０，３３０は、移動体端末１０のアクセスが許可されているセルである。一方、ＣＳＧセル３２０は、移動体端末１０のアクセスが許可されていないセルである。また、詳しくは後述するが、ＣＳＧセル３１０とＣＳＧセル３３０とには、現在地情報の取得周期（つまり、周期Ｔ１）を変更するか否かを示した周期変更フラグが対応付けられている（図８参照）。以下では、ＣＳＧセル３１０には、取得周期を変更するための周期変更フラグ“１”が対応付けられており、ＣＳＧセル３３０には、取得周期を変更しないための周期変更フラグ“０”が対応付けられているものとする。
【００４３】
なお、図２に示したセルの配置は、本実施の形態を説明するために便宜的に示した例であって、当該配置に限定されるものではない。
【００４４】
図３は、移動体端末１０が第１の経路で移動した際における、移動体端末１０による測位周期を説明するための図である。図３（ａ）は、移動体端末１０の移動経路を表した図である。図３（ｂ）は、測位周期を表した図である。より詳しくは、図３（ｂ）は、現在地情報の算出の周期およびタイミングを示した図である。
【００４５】
図３（ａ）を参照して、移動体端末１０は、第１の経路９１０で移動する。具体的には、移動体端末１０は、ＣＳＧセル３１０を通り、セル２２０内の位置に移動する。この場合、移動体端末１０の移動により、基地局２１から無線基地局３１へのハンドオーバと、無線基地局３１から基地局２２へのハンドオーバとがなされる。
【００４６】
図３（ｂ）を参照して、移動体端末１０は、移動体端末１０がセル２１０内にいるときには、周期Ｔ１で、現在位置の測位を繰り返す。移動体端末１０は、セル２１０からＣＳＧセル３１０内に移動すると、測位周期を周期Ｔ１（たとえば、５分）から、周期Ｔ１よりも長い周期Ｔ２（たとえば、６０分）に変更する。移動体端末１０は、ＣＳＧセル３１０内にいるときには、周期Ｔ２で、測位を繰り返す。さらに、移動体端末１０は、セル３１０からセル２２０内に移動すると、測位周期を周期Ｔ２から周期Ｔ１に戻す。移動体端末１０は、セル２２０内にいるときには、周期Ｔ１で、測位を繰り返す。
【００４７】
以上のように、移動体端末１０は、アクセスが許可されているＣＳＧセル３１０の近傍に移動体端末１０が入ったことを検出すると、測位周期を、周期Ｔ１から周期Ｔ１よりも長い周期Ｔ２に変更する。また、移動体端末１０は、ＣＳＧセル３１０から移動体端末１０が出たことを検出した場合、測位周期を周期Ｔ２から周期Ｔ１に変更する。
【００４８】
図４は、移動体端末１０が第２の経路で移動した際における、移動体端末１０による測位周期を説明するための図である。図４（ａ）は、移動体端末１０の移動経路を表した図である。図４（ｂ）は、測位周期を表した図である。より詳しくは、図４（ｂ）は、現在地情報の算出の周期およびタイミングを示した図である。
【００４９】
図４（ａ）を参照して、移動体端末１０は、第２の経路９２０で移動する。具体的には、移動体端末１０は、アクセスが許可されていないＣＳＧセル３２０を通り、セル２５０内の位置に移動する。この場合、移動体端末１０の移動により、基地局２１から無線基地局３２へのハンドオーバは行われない。
【００５０】
図４（ｂ）を参照して、移動体端末１０は、移動体端末１０がセル２１０内にいるときには、周期Ｔ１で、現在位置の測位を繰り返す。移動体端末１０は、セル２１０からＣＳＧセル３２０内に移動しても、周期Ｔ１で、測位周期を繰り返す。また、移動体端末１０は、セル３２０からセル２５０内に移動しても、周期Ｔ１で、測位を繰り返す。
【００５１】
以上のように、移動体端末１０は、アクセスが許可されていないＣＳＧセル３２０を通過する場合には、測位周期を変更しない。
【００５２】
図５は、移動体端末１０が第３の経路で移動した際における、移動体端末１０による測位周期を説明するための図である。図５（ａ）は、移動体端末１０の移動経路を表した図である。図５（ｂ）は、測位周期を表した図である。より詳しくは、図５（ｂ）は、現在地情報の算出の周期およびタイミングを示した図である。
【００５３】
図５（ａ）を参照して、移動体端末１０は、第３の経路９３０で移動する。具体的には、移動体端末１０は、アクセスが許可されたＣＳＧセル３３０を通り、セル２６０内の位置に移動する。この場合、移動体端末１０の移動により、基地局２１から無線基地局３３へのハンドオーバと、無線基地局３３から基地局２６へのハンドオーバとがなされる。
【００５４】
図５（ｂ）を参照して、移動体端末１０は、移動体端末１０がセル２１０内にいるときには、周期Ｔ１で、現在位置の測位を繰り返す。移動体端末１０は、セル２１０からＣＳＧセル３３０内に移動しても、周期Ｔ１で、測位を繰り返す。移動体端末１０が周期を変更しない理由は、ＣＳＧセル３３０には、周期変更フラグ“０”が対応付けられているためである。また、移動体端末１０は、セル３３０からセル２６０内に移動しても、周期Ｔ１で、現在位置の測位を繰り返す。
【００５５】
以上のように、移動体端末１０は、アクセスが許可されていないＣＳＧセル３３０を通過する場合であっても、ＣＳＧセル３３０に取得周期フラグ“０”が対応付けられているときには、測位周期を周期Ｔ１から周期Ｔ２に変更しない。
【００５６】
以下では、移動体端末１０が上述した動作を実現するための具体的構成について、図６〜図１１に基づいて説明する。
【００５７】
＜移動体端末１０のハードウェア構成＞
図６は、移動体端末１０のハードウェア構成を表した図である。図６を参照して、移動体端末１０は、アンテナ１０１と、ＲＦ（Radio Frequency）回路１０２と、ベースバンド回路１０３と、ＧＰＳ受信機１０４と、プログラムを実行するアプリケーションプロセッサ１０５と、ＲＯＭ（Read Only Memory）１０６と、ＲＡＭ（Random Access Memory）１０７と、ＮＡＮＤ型のフラッシュメモリ１０８と、ディスプレイ１０９と、カメラ１１０と、マイク１１１と、スピーカ１１２と、ユーザによる指示の入力を受ける操作キー１１３と、通信ＩＦ（Interface）１１４と、ＩＣ（Integrated Circuit）カードリーダライタ１１５と、電源ユニット１１６とを備える。
【００５８】
ＧＰＳ受信機１０４は、アンテナ１０４１と、ＲＦ回路１０４２と、ベースバンド回路１０４３とを含む。ＧＰＳ受信機１０４は、アンテナ１０４１を用いてＧＰＳ衛星９１〜９４の信号を受信する。さらに、ＧＰＳ受信機１０４は、ＲＦ回路１０４２およびベースバンド回路１０４３における処理の結果（つまり、現在地情報）を、アプリケーションプロセッサ１０５に出力する。なお、現在地情報は、緯度、経度、および高度を示した情報である。
【００５９】
アンテナ１０１、ＲＦ回路１０２、およびベースバンド回路１０３は、基地局を介した、他の移動体端末、固定電話、およびＰＣ（Personal Computer）との間における無線通信に用いられる。詳しくは、アンテナ１０１、ＲＦ回路１０２、およびベースバンド回路１０３は、移動体端末１０が携帯電話網を用いた通信を行なうために用いられる。
【００６０】
フラッシュメモリ１０８は、不揮発性の半導体メモリである。フラッシュメモリ１０８は、移動体端末１０を制御するための各種のプログラム、並びに、移動体端末１０が生成したデータ、移動体端末１０の外部装置から取得したデータ等の各種データを揮発的に格納する。
【００６１】
各構成要素１０３〜１１６は、相互にデータバスによって接続されている。ＩＣカードリーダライタ１１５には、メモリカード１１５１が装着される。
【００６２】
移動体端末１０における処理は、各ハードウェアおよびアプリケーションプロセッサ１０５により実行されるソフトウェアによって実現される。このようなソフトウェアは、フラッシュメモリ１０８に予め記憶されている場合がある。また、ソフトウェアは、メモリカード１１５１その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、ＩＣカードリーダライタ１１５その他の読取装置によりその記憶媒体から読み取られて、あるいは、アンテナ１０１、ＲＦ回路１０２、およびベースバンド回路１０３、または通信ＩＦ１１４を介してダウンロードされた後、フラッシュメモリ１０８に一旦格納される。そのソフトウェアは、アプリケーションプロセッサ１０５によってフラッシュメモリ１０８から読み出され、さらにフラッシュメモリ１０８に実行可能なプログラムの形式で格納される。アプリケーションプロセッサ１０５は、そのプログラムを実行する。
【００６３】
同図に示される移動体端末１０を構成する各構成要素は、一般的なものである。したがって、本発明の本質的な部分は、フラッシュメモリ１０８、メモリカード１１５１その他の記憶媒体に格納されたソフトウェア、あるいはネットワークを介してダウンロード可能なソフトウェアであるともいえる。なお、移動体端末１０の各ハードウェアの動作は周知であるので、詳細な説明は繰り返さない。
【００６４】
なお、記録媒体としては、ＤＶＤ-ＲＯＭ、ＣＤ−ＲＯＭ、ＦＤ（Flexible Disk）、ハードディスクに限られず、磁気テープ、カセットテープ、光ディスク（ＭＯ（Magnetic Optical Disc）／ＭＤ（Mini Disc）／ＤＶＤ（Digital Versatile Disc））、光カード、マスクＲＯＭ、ＥＰＲＯＭ（Electronically Programmable Read-Only Memory）、ＥＥＰＲＯＭ（Electronically Erasable Programmable Read-Only Memory）、フラッシュＲＯＭなどの半導体メモリ等の固定的にプログラムを担持する媒体でもよい。また、記録媒体は、当該プログラム等をコンピュータが読取可能な一時的でない媒体である。
【００６５】
ここでいうプログラムとは、ＣＰＵにより直接実行可能なプログラムだけでなく、ソースプログラム形式のプログラム、圧縮処理されたプログラム、暗号化されたプログラム等を含む。
【００６６】
＜移動体端末１０の機能ブロックおよびデータ＞
図７は、移動体端末１０の機能的構成を表した機能ブロック図である。図７を参照して、移動体端末１０は、アンテナ１０４１と、測位部１４０と、制御部１５０と、記憶部１６０と、送信部１７０と、受信部１８０と、アンテナ１０１とを備える。制御部１５０は、検出部１５１と、周期変更部１５２とを含む。記憶部１６０は、リスト６００を記憶している。リスト６００は、ＣＳＧリスト６１０と、近隣セルリスト６２０と、位置情報リスト６３０とから構成されている。
【００６７】
なお、ＧＰＳ受信機１０４におけるＲＦ回路１０４２およびベースバンド回路１０４３（図６参照）とが、測位部１４０に対応する。アプリケーションプロセッサ１０５が、制御部１５０に対応する。フラッシュメモリ１０８が、記憶部１６０に対応する。ＲＦ回路１０２およびベースバンド回路１０３が、送信部１７０および受信部１８０に対応する。
【００６８】
測位部１４０は、自動取得モードである場合、デフォルト状態では、制御部１５０からの指示に基づいた周期Ｔ１で、アンテナ１０４１を用いて、現在地情報を算出する。
【００６９】
送信部１７０は、測位部１４０により算出された現在地情報を、基地局を介してサーバ装置４１〜４３送信する。
【００７０】
受信部１８０は、基地局を介してサーバ装置から、現在地情報に基づいたサービス情報を受信する。
【００７１】
次に、記憶部１６０に格納されている各リスト６１０，６２０，６３０について、図８〜図１０に基づいて説明する。
【００７２】
図８は、ＣＳＧリスト６１０を表した図である。図８を参照して、ＣＳＧリストは、移動体端末１０によるアクセスが許可されたＣＳＧセルの識別情報と、周期変更フラグとが関連付けされている。つまり、ＣＳＧリストには、移動体端末１０によるアクセスが許可されていないＣＳＧセルの識別情報は記録されていない。なお、周期変更フラグは、上述したように、測位周期を変更するか否かを示したフラグである。たとえば、識別情報“ＣＳＧＣ０００１”には、周期変更フラグ“０”が関連付けられており、識別情報“ＣＳＧＣ００４”には、周期変更フラグ“１”が関連付けられている。
【００７３】
図９は、近隣セルリスト６２０を表した図である。図９を参照して、近隣セルリスト６２０は、移動体端末１０によるアクセスが許可された各ＣＳＧセルの近隣のセルを表したリストである。たとえば、識別情報“ＣＳＧＣ０００１”には、“ＣＳＧＣ０００１”により特定されるＣＳＧセルの近隣のセルについての識別情報“ＮＢＣ０００９”，“ＮＢＣ００１１”，“ＮＢＣ００１２”等が関連付けられている。なお、近隣のセルについての識別情報は、典型的には、物理セルＩＤ（ＰＣＩ）である。
【００７４】
図１０は、位置情報リスト６３０を表した図である。図１０を参照して、位置情報リスト６３０は、移動体端末１０によるアクセスが許可された各ＣＳＧセルの位置情報をあらわしたリストである。位置情報リスト６３０は、アクセスが許可されたＣＳＧセルの識別情報と、当該識別情報により特定されるＣＳＧセルの位置情報とが、アクセスが許可されたＣＳＧセル毎に関連付けられている。たとえば、識別情報“ＣＳＧＣ０００１”と位置情報“ＡＲＥＡ０００１”とが関連付けられている。位置情報リスト６３０における各位置情報は、緯度および経度にて特定されるＣＳＧセルの範囲を表す情報である。
【００７５】
なお、上記においては、記憶部１６０においては、ＣＳＧセルの識別情報と、周期変更フラグと、近隣セルの識別情報と、ＣＳＧセルの位置情報とが対応付けられて記憶されていればよく、これらの情報が３つのリスト６１０，６２０，６３０に分かれている必要はない。また、移動体端末１０は、ＣＳＧセルの識別情報と近隣セルの識別情報と、ＣＳＧセルの位置情報とを、基地局、または基地局を介して取得する。
【００７６】
再び、図７を参照して、制御部１５０の処理について説明する。制御部１５０は、移動体端末１０の動作を制御する。制御部１５０は、測位部１４０による測位の開始および停止、測位の周期等を制御する。また、制御部１５０は、記憶部１６０からのデータの読み出し、および書き込みを行なう。さらに、制御部１５０は、送信部１７０による送信処理、および受信部１８０に受信処理を制御する。また、制御部１５０は、測位部１４０が算出した現在地情報を、記憶部１６０に記憶する。
【００７７】
制御部１５０の検出部１５１は、ＣＳＧリスト６１０を用いて、移動体端末１０によるアクセスが許可されているＣＳＧセルの近傍に移動体端末１０が入ったことを検出する。また、検出部１５１は、当該ＣＳＧセルの近傍から移動体端末１０が出たことも検出する。
【００７８】
検出部１５１による上記検出は、様々な手法により行なうことができる。第１の例としては、以下のような手法により行なわれる。検出部１５１は、在圏している基地局から、近隣セルを特定するための情報を取得する。検出部１５１は、取得された近隣セルを特定する情報と、記憶部１６０に予め格納されている近隣セルリスト６２０（図１０）とを比較することにより、アクセスが許可されているＣＳＧセル内に出入りしたことを検出する。
【００７９】
第２の例としては、以下のような手法により行なわれる。検出部１５１は、測位部１４０に測位を実行させる。検出部１５１は、測位により得られた現在地情報と、記憶部１６０に予め格納されている位置情報リスト６３０とを比較することにより、アクセスが許可されているＣＳＧセル内に出入りしたことを検出する。なお、検出部１５１は、移動体端末１０の現在地情報として、一定周期で取得している現在地情報と、記憶部１６０に予め格納されている位置情報リスト６３０とを比較することにより、アクセスが許可されているＣＳＧセル内に出入りしたことを検出してもよい。
【００８０】
制御部１５０の周期変更部１５２は、以下の処理を行なう。周期変更部１５２は、アクセスが許可されているＣＳＧセルの近傍に移動体端末１０が入ったことが検出され、かつ当該ＣＳＧセルの周期変更フラグが“１”である場合、測位周期を、デフォルトの周期Ｔ１から、周期Ｔ１よりも長い周期Ｔ２に変更する。この場合、周期変更部１５２は、周期Ｔ２で測位した各現在地情報を、送信部１７０に送信させる。典型的には、周期変更部１５２は、各現在地情報を、送信部１７０に周期Ｔ２で送信させる。
【００８１】
また、周期変更部１５２は、当該ＣＳＧセルから移動体端末１０が出たことを検出すると、測位周期を、周期Ｔ２からデフォルトの周期Ｔ１に戻す。この場合、周期変更部１５２は、周期Ｔ１で取得した各現在地情報を、送信部１７０に送信させる。典型的には、周期変更部１５２は、各現在地情報を、送信部１７０に周期Ｔ１で送信させる。
【００８２】
一方、周期変更部１５２は、アクセスが許可されているＣＳＧセルの近傍に移動体端末１０が入ったことが検出された場合であっても、当該ＣＳＧセルの周期変更フラグが“０”であるときには、測位周期を変更しない。この場合、周期変更部１５２は、各周期Ｔ１による測位で得られた現在地情報を、送信部１７０に送信させ続ける。
【００８３】
＜制御構造＞
図１１は、移動体端末１０により行なわれる処理の流れを示したフローチャートである。具体的には、図１１は、移動体端末１０の動作モードが、自動取得モードに切換った後の処理の流れを示したフローチャートである。
【００８４】
図１１を参照して、ステップＳ２において、アプリケーションプロセッサ１０５は、初期化を行なう。具体的には、アプリケーションプロセッサ１０５は、ＣＳＧリスト６１０における全ての周期変更フラグを“１”に設定する。ステップＳ４において、アプリケーションプロセッサ１０５は、周期変更フラグを“１”から“０”に変更する入力を、操作キー１１３を介してユーザから受け付けたか否かを判断する。
【００８５】
アプリケーションプロセッサ１０５は、入力を受け付けたと判断した場合（ステップＳ４においてＹＥＳ）、ステップＳ６において、入力に対応するＣＳＧセルの識別情報に関連付けられた周期変更フラグを“１”から“０”に変更する。アプリケーションプロセッサ１０５は、入力を受け付けていないと判断した場合（ステップＳ４においてＮＯ）、処理をステップＳ８に進める。
【００８６】
ステップＳ８において、アプリケーションプロセッサ１０５は、移動体端末１０は、アクセスが許可されているＣＳＧセル内（詳しくは、アクセスが許可されているＣＳＧセルの近傍）に入ったか否かを、上述した手法を用いて検出する。アプリケーションプロセッサ１０５は、アクセスが許可されているＣＳＧセル内に入ったと判断した場合（ステップＳ８においてＹＥＳ）、ステップＳ１０において、移動体端末１０が入ったＣＳＧセルに関連付けられた周期変更フラグが“１”であるか否かを判断する。アプリケーションプロセッサ１０５は、アクセスが許可されているＣＳＧセル内に入っていないと判断した場合（ステップＳ８においてＮＯ）、処理をステップＳ８に進める。
【００８７】
アプリケーションプロセッサ１０５は、周期変更フラグが“１”であると判断した場合（ステップＳ１０においてＹＥＳ）、ステップＳ１２において、測位周期を、周期Ｔ１から周期Ｔ２に変更する。一方、アプリケーションプロセッサ１０５は、周期変更フラグが“０”であると判断した場合（ステップＳ１０においてＮＯ）、処理をステップＳ８に進める。この場合、ステップＳ８において、アプリケーションプロセッサ１０５は、アクセスが許可されている別のＣＳＧセルに入ったか否かを判断する。
【００８８】
ステップＳ１４において、アプリケーションプロセッサ１０５は、アクセスが許可されているＣＳＧセルから出たか否かを、上述した手法で判断する。アプリケーションプロセッサ１０５は、アクセスが許可されているＣＳＧセルから出たと判断した場合（ステップＳ１４においてＹＥＳ）、ステップＳ１６において、測位周期を、周期Ｔ２から周期Ｔ１に変更する。つまり、アプリケーションプロセッサ１０５は、測位周期をデフォルトの周期に戻す。アプリケーションプロセッサ１０５は、アクセスが許可されているＣＳＧセルから出ていないと判断した場合（ステップＳ１４においてＮＯ）、処理をステップＳ１４に進める。
【００８９】
ステップＳ１８において、アプリケーションプロセッサ１０５は、測位を停止する入力を受け付けたか否かを判断する。つまり、アプリケーションプロセッサ１０５は、動作モードを、自動取得モードの設定を解除する指示を、操作キー１１３を介してユーザから受け付けたか否かを判断する。アプリケーションプロセッサ１０５は、入力を受け付けたと判断した場合（ステップＳ１８においてＹＥＳ）、一連の処理を終了する。アプリケーションプロセッサ１０５は、入力を受け付けていないと判断した場合（ステップＳ１８においてＮＯ）、処理をステップＳ８に進める。
【００９０】
＜移動体端末１０のまとめ＞
（１）移動体端末１０は、（i）移動体端末１０の現在位置を、予め定められた周期で測位する測位部１４０と、（ii）現在位置を表した位置情報を、基地局を介してサーバ装置に送信する送信部１７０と、（iii）基地局を介してサーバ装置から、位置情報に関連したサービス情報を受信する受信部１８０と、（iv）移動体端末１０によるアクセスが許可されているＣＳＧセルの各々の識別情報（CSG  IDs）を含んだＣＳＧセルリスト（UEs  CSG  Whitelist）６１０を記憶するための記憶部１６０と、（v）ＣＳＧリスト６１０を用いて、アクセスが許可されているＣＳＧセルの近傍（Proximity  Area）に移動体端末１０が入ったことを検出する検出部１５１と、（vi）アクセスが許可されているＣＳＧセルの近傍に移動体端末１０が入ったことが検出されると、測位の周期を、周期Ｔ１から周期Ｔ１よりも長い周期Ｔ２に変更する周期変更部１５２とを備える。
【００９１】
したがって、移動体端末１０は、アクセスが許可されているＣＳＧセルの近傍に入ると、現在位置の測位周期を長くする。したがって、移動体端末１０は、測位周期を長くしない構成に比べて、低消費電力を図ることができる。
【００９２】
また、移動体端末１０は、測位の周期を上記のように変更しない構成に比べて、ユーザにとって不要と考えられるサービス情報の受信量が低減する。それゆえ、移動体端末１０は、ユーザの意図しないサービス情報の存在によってメモリの使用可能容量が低減してしまうことを防ぐことができる。
【００９３】
さらに、移動体端末１０は、ＣＳＧリスト６１０を記憶しているため、アクセスが許可されているＣＳＧセルが移動する場合や、移動体端末１０のユーザが気軽にアクセス可能なＣＳＧセルを追加することができる。
【００９４】
以上のように、移動体端末１０は、低消費電力化を図れるととともに、ユーザにとって利便性の高い端末となる。
【００９５】
特に、ＣＳＧセルは、小型の無線基地局（HOME  (e)NodeB）により構成されるセルである。また、アクセスが許可されているＣＳＧセルは、通常、ユーザがよく利用する場所の近辺に設置される小型の無線基地局により構成されるセルである。それゆえ、移動体端末１０は、ユーザの自宅、勤務先、学校等のユーザが熟知している位置では測位の周期を長くするため、当該位置に関連するサービス情報の受信を低減できる。
【００９６】
（２）また、検出部１５１は、アクセスが許可されているＣＳＧセルの近傍から移動体端末１０が出たことを、さらに検出する。周期変更部１５２は、アクセスが許可されているＣＳＧセルの近傍から移動体端末１０が出たことが検出された場合、測位の周期が周期Ｔ２に変更されているときには、測位の周期を周期Ｔ２から周期Ｔ１に変更する。
【００９７】
したがって、移動体端末１０は、アクセスが許可されているＣＳＧセルから出ると、測位の周期を元の周期Ｔ１に戻す。したがって、ユーザは、周期Ｔ２のままとする構成よりも、多くの位置のサービス情報をサーバ装置から取得することができる。
【００９８】
（３）より詳しくは、記憶部１６０は、上記識別情報の各々に対応付けて、測位の周期を周期Ｔ１から周期Ｔ２に変更させるか否かを表した周期変更フラグを、さらに記憶している。周期変更部１５２は、周期変更フラグが、測位の周期を周期Ｔ１から周期Ｔ２に変更することを表している場合、アクセスが許可されているＣＳＧセルの近傍に移動体端末１０が入ったことが検出されると、測位の周期を周期Ｔ１から周期Ｔ２に変更する。一方、周期変更部１５２は、周期変更フラグが、測位の周期を周期Ｔ１から周期Ｔ２に変更することを表していない場合、アクセスが許可されているＣＳＧセルの近傍に移動体端末１０が入ったことが検出されても、測位の周期を周期Ｔ１から周期Ｔ２に変更しない。
【００９９】
したがって、移動体端末１０は、周期変更フラグの状態に応じて、測位の周期を変更するか否かを判断する。それゆえ、ユーザが、周期変更フラグの状態を変更する入力を移動体端末１０に行なうことにより、アクセスが許可されたＣＳＧセルのうち、測位の周期を変更するＣＳＧセルおよび変更しないＣＳＧセルを指定することができる。このため、移動体端末１０は、ユーザにとってさらに利便性の高い端末となる。
【０１００】
＜変形例＞
（１）上記においては、アクセスが許可されているＣＳＧセルの近傍に移動体端末１０が入ったことが検出され、かつ当該ＣＳＧセルの周期変更フラグが“１”である場合、測位周期を周期Ｔ１から周期Ｔ２に変更する構成を説明した。
【０１０１】
以下では、ＣＳＧリスト６１０として、周期変更フラグの変わりに、停止フラグを備える構成について説明する。なお、停止フラグの内容は、図８の周期変更フラグと同じとして説明する。
【０１０２】
また、以下では、アクセスが許可されているＣＳＧセルの近傍に移動体端末が入ったことが検出され、かつ当該ＣＳＧセルの停止フラグが“１”である場合、測位を停止する移動体端末１０Ａについて説明する。言い換えると、アクセスが許可されているＣＳＧセルの近傍に移動体端末１０が入ったことが検出され、かつ当該ＣＳＧセルの停止フラグが“１”である場合に、基地局を介した、サーバ装置４１〜４３への現在地情報の送信を停止する構成について説明する。なお、移動体端末１０Ａのハードウェア構成は、移動体端末１０のハードウェア構成（図６参照）と同様であるため、ここでは説明を繰り返さない。
【０１０３】
図１２は、移動体端末１０Ａの機能的構成を表した機能ブロック図である。図１２を参照して、移動体端末１０Ａは、アンテナ１０４１と、測位部１４０と、制御部１５０Ａと、記憶部１６０と、送信部１７０と、受信部１８０と、アンテナ１０１とを備える。制御部１５０Ａは、検出部１５１と、停止部１５３とを含む。つまり、移動体端末１０Ａは、停止部１５３を備え、周期変更部１５２を備えない点において、移動体端末１０とは異なる。
【０１０４】
停止部１５３は、以下の処理を行なう。停止部１５３は、アクセスが許可されているＣＳＧセルの近傍に移動体端末１０Ａが入ったことが検出され、かつ当該ＣＳＧセルの停止フラグが“１”である場合、測位部１４０に測位を停止させる。この場合、新たな現在地情報の算出が行なわれないため、停止部１５３は、送信部１７０に現在地情報の送信を停止させる。つまり、送信部１７０による現在地情報の送信は中断する。
【０１０５】
また、停止部１５３は、当該ＣＳＧセルから移動体端末１０Ａが出たことを検出すると、測位部１４０による測位を再開させる。この場合、測位部１４０は、デフォルトの周期Ｔ１で現在地情報を算出する。停止部１５３は、送信部１７０に現在地情報の定期的な送信を開始させる。
【０１０６】
一方、停止部１５３は、アクセスが許可されているＣＳＧセルの近傍に移動体端末１０Ａが入ったことが検出された場合であっても、当該ＣＳＧセルの停止フラグが“０”であるときには、測位を停止しない。この場合、停止部１５３は、各周期Ｔ１の測位により算出した現在地情報を、送信部１７０に送信させ続ける。また、停止部１５３は、アクセスが許可されていないＣＳＧセル内に入った場合にも、現在地情報を停止しない。
【０１０７】
図１３は、移動体端末１０Ａが第１の経路で移動した際における、移動体端末１０Ａによる測位周期を説明するための図である。図１３（ａ）は、移動体端末１０Ａの移動経路を表した図である。図１３（ｂ）は、測位周期を表した図である。より詳しくは、図１３（ｂ）は、現在地情報の算出の周期およびタイミングを示した図である。
【０１０８】
図１３（ａ）を参照して、移動体端末１０Ａは、第１の経路９１０で移動する。具体的には、移動体端末１０Ａは、ＣＳＧセル３１０を通り、セル２２０内の位置に移動する。この場合、移動体端末１０Ａの移動により、基地局２１から無線基地局３１へのハンドオーバと、無線基地局３１から基地局２２へのハンドオーバとがなされる。
【０１０９】
図１３（ｂ）を参照して、移動体端末１０Ａは、移動体端末１０がセル２１０内にいるときには、周期Ｔ１で測位を繰り返す。移動体端末１０Ａは、セル２１０からＣＳＧセル３１０内に移動すると、測位を停止する。移動体端末１０Ａは、セル３１０からセル２２０内に移動すると、測位を再開する。移動体端末１０Ａは、算出した現在地情報を、基地局を介してサーバ装置４１〜４３に送信する。なお、移動体端末１０は、セル２２０内にいるときには、周期Ｔ１で測位を繰り返す。
【０１１０】
以上のように、移動体端末１０Ａは、アクセスが許可されているＣＳＧセル３１０の近傍に移動体端末１０が入ったことを検出すると、測位を停止するとともに、現在地情報のサーバ装置４１〜４３への送信を停止する。また、移動体端末１０Ａは、ＣＳＧセル３１０から移動体端末１０Ａが出たことを検出した場合、測位を再開するとともに、現在地情報のサーバ装置４１〜４３への定期的な送信を再開する。
【０１１１】
なお、移動体端末１０Ａが、図４（ａ）に示した第２の経路９２０で移動した場合には、図４（ｂ）に示したタイミングで測位がなされる。また、移動体端末１０Ａが、図５（ａ）に示した第３の経路９３０で移動した場合には、図５（ｂ）に示したタイミングで測位がなされる。
【０１１２】
図１４は、移動体端末１０Ａにより行なわれる処理の流れを示したフローチャートである。具体的には、図１４は、移動体端末１０Ａの動作モードが、自動取得モードに切換った後の処理の流れを示したフローチャートである。
【０１１３】
図１４に示したフローチャートは、ステップＳ１２の代わりにステップＳ１２Ａがある点と、ステップＳ１６の代わりにステップＳ１６Ａがある点が、図１１に示したフローチャートと異なる。よって、以下では、ステップＳ１２ＡとステップＳ１６Ａとについて説明し、他のステップの処理内容についての説明は繰り返さない。
【０１１４】
ステップＳ１２Ａにおいて、アプリケーションプロセッサ１０５は、測位を一時的に停止する。ステップＳ１６Ａにおいて、アプリケーションプロセッサ１０５は、一時的に停止していた測位を再開する。
【０１１５】
（移動体端末１０Ａのまとめ）
以上のように、移動体端末１０Ａは、（i）移動体端末１０Ａの現在位置を、予め定められた周期で測位する測位部１４０と、（ii）現在位置を表した位置情報を、基地局を介してサーバ装置に送信する送信部１７０と、（iii）基地局を介してサーバ装置から、位置情報に関連したサービス情報を受信する受信部１８０と、（iv）移動体端末１０Ａによるアクセスが許可されているＣＳＧセルの各々の識別情報を含んだＣＳＧリスト６１０を記憶した記憶部１６０と、（v）ＣＳＧリスト６１０を用いて、アクセスが許可されているＣＳＧセルの近傍に移動体端末１０Ａが入ったことを検出する検出部１５１と、（vi）アクセスが許可されているＣＳＧセルの近傍に移動体端末１０Ａが入ったことが検出されると、測位を停止させる停止部１５３とを備える。
【０１１６】
したがって、移動体端末１０Ａは、アクセスが許可されているＣＳＧセルの近傍に入ると、測位を停止する。したがって、移動体端末１０は、測位周期を停止しない構成に比べて、低消費電力を図ることができる。
【０１１７】
また、移動体端末１０Ａは、移動体端末１０と同様、ユーザの意図しないサービス情報の存在によってメモリの使用可能容量が低減してしまうことを防ぐことができる。さらに、移動体端末１０Ａは、移動体端末１０と同様、ＣＳＧリスト６１０を記憶しているため、アクセスが許可されているＣＳＧセルが移動する場合や、移動体端末１０Ａのユーザが気軽にアクセス可能なＣＳＧセルを追加することができる。
【０１１８】
以上のように、移動体端末１０Ａは、低消費電力化を図れるととともに、ユーザにとって利便性の高い端末となる。
【０１１９】
また、検出部１５１は、さらに、アクセスが許可されたＣＳＧセルの近傍から移動体端末１０Ａが出たことを検出する。停止部１５３は、アクセスが許可されたＣＳＧセルの近傍から移動体端末１０Ａが出たことが検出された場合、測位を停止しているときには、測位を開始させる。
【０１２０】
より詳しくは、記憶部１６０は、識別情報の各々に対応付けて、測位を停止させるか否かを表した停止フラグを、さらに記憶している。停止部１５３は、停止フラグが、測位を停止させることを表している場合、アクセスが許可されたＣＳＧセルの近傍に移動体端末１０Ａが入ったことが検出されると、測位部１４０に測位を停止させる。一方、停止部１５３は、停止フラグが、測位を停止させることを表していない場合、アクセスが許可されたＣＳＧセルの近傍に移動体端末１０Ａが入ったことが検出されても、測位を停止させない。
【０１２１】
（２）ところで、上記においては、周期Ｔ２を固定値として説明した。しかしながら、周期Ｔ２を可変値としてもよい。周期Ｔ２の値は、たとえば、ユーザからの入力に基づけばよい。周期Ｔ２の設定タイミングとしては、特に限定されない。たとえば、アクセスが許可されたＣＳＧセルの近傍に入ったタイミングで移動体端末１０がユーザに周期Ｔ２の入力を促すように、移動体端末１０を構成してもよい。あるいは、ステップＳ１２，１２Ａで設定を受け付けるように、移動体端末１０，１０Ａを構成としてもよい。
【０１２２】
（３）また、移動体端末１０においては、アクセスが許可されたＣＳＧセルのうち、周期変更フラグが“１”であるＣＳＧセルの近傍に入った場合に、測位の周期の変更を行なった。また、移動体端末１０Ａにおいては、アクセスが許可されたＣＳＧセルのうち、停止フラグが“１”であるＣＳＧセルの近傍に入った場合に、測位を停止させた。しかしながら、これに限定されず、アクセスが許可された全てのＣＳＧセルの各々の近傍に移動体端末１０が入った場合、測位の周期の変更、測位の停止を行なうように、移動体端末１０，１０Ａを構成してもよい。
【０１２３】
（４）ＣＳＧセルへの出入りは、ＣＳＧリスト６１０とフィンガープリント情報（周辺に見えるセルの物理セルＩＤ（ＰＣＩ）、ＧＰＳ情報等の任意の情報）とに基づいてＣＳＧセルサーチを行なうことにより、判断してもよい。
【０１２４】
（５）また、上記においては、ＣＳＧセルへの出入りを判断し、当該判断結果に基づいて測位周期の変更、測位の停止および再開を行なう構成について説明した。しかしながら、判断対象は、ＣＳＧセルの出入りに限定されるものではない。判断対象は、予め定められたエリアであればよい。また、予め定められたエリアを、ＣＳＧセルのエリアに限定せずに、複数の基地局により構成される複数セルのうち、予め定められたセルのエリアとしてもよい。なお、たとえば、駅の自動改札、ＥＴＣからの情報を得ることにより、予め定められたエリアへの出入りの判断を行なうことも考えられえる。
【０１２５】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【０１２６】
１  ネットワークシステム、１０，１０Ａ  移動体端末、２１〜２８  基地局、３１〜３３  無線基地局、４１〜４３  サーバ装置、９１〜９４  ＧＰＳ衛星、１０１，１０４１  アンテナ、１０２，１０４２  ＲＦ回路、１０３，１０４３  ベースバンド回路、１０４  ＧＰＳ受信機、１０５  アプリケーションプロセッサ、１０８  フラッシュメモリ、１０９  ディスプレイ、１１３  操作キー、１１５  カードリーダライタ、１４０  測位部、１５０，１５０Ａ  制御部、１５１  検出部、１５２  周期変更部、１５３  停止部、１６０  記憶部、１７０  送信部、１８０  受信部、３１０，３２０，３３０  ＣＳＧセル、２１０，２２０，２３０，２４０，２５０，２６０，２７０，２８０  マクロセル、６１０  ＣＳＧリスト、６２０  近隣セルリスト、６３０  位置情報リスト、９１０  第１の経路、９２０  第２の経路、９３０  第３の経路、１１５１  メモリカード。
【図１】
2012181087.tif 000003
【図２】
2012181087.tif 000004
【図３】
2012181087.tif 000005
【図４】
2012181087.tif 000006
【図５】
2012181087.tif 000007
【図６】
2012181087.tif 000008
【図７】
2012181087.tif 000009
【図８】
2012181087.tif 000010
【図９】
2012181087.tif 000011
【図１０】
2012181087.tif 000012
【図１１】
2012181087.tif 000013
【図１２】
2012181087.tif 000014
【図１３】
2012181087.tif 000015
【図１４】
2012181087.tif 000016